(57)【特許請求の範囲】
【請求項１】
編集端末と、
前記編集端末に接続されており、スパース機能を有する記録装置と、
ＡＶサーバーに蓄積されたＡＶデータのうち編集対象のＡＶデータが前記編集端末で指定されたことに基づき、前記記録装置を制御して、該指定されたＡＶデータのデータ量と等しい量のスパース領域を有する空のファイルを作成させる第１の制御手段と、
前記ＡＶサーバーを制御して、前記指定されたＡＶデータを再生させて前記記録装置に送信させるとともに、前記記録装置に空き容量がなくなったことに応じて再生を一時停止させ、前記記録装置に再び空き領域が生じたことに応じて再生を再開させる第２の制御手段と、
前記記録装置を制御して、前記ＡＶサーバーから送信されたＡＶデータを前記ファイルに書き込ませるとともに、前記記録装置に空き容量がなくなったことに応じて書込みを一時停止させ、前記記録装置に再び空き領域が生じたことに応じて書込みを再開させる第３の制御手段と、
前記記録装置内の前記ファイルに書き込まれたＡＶデータのうち編集に必要な範囲が前記編集端末で決定されたことに基づき、前記記録装置を制御して、前記ファイルのうち前記範囲以外のＡＶデータを書き込んだ部分をスパース領域にさせる第４の制御手段と
を備えたことを特徴とする編集システム。
【請求項２】
請求項１に記載の編集システムにおいて、
前記第２の制御手段は、前記ファイルのうちのスパース領域の部分が前記編集端末でアクセスされたことに基づき、前記ＡＶサーバーを制御して、該アクセスされた部分に書き込むべきＡＶデータを優先して再生させ、
前記第３の制御手段は、前記ファイルのうちのスパース領域の部分が前記編集端末でアクセスされたことに基づき、前記記録装置を制御して、前記アクセスされた部分に優先してＡＶデータを書き込ませる
ことを特徴とするＡＶサーバーからのＡＶデータの編集システム。
【請求項３】
ＡＶサーバーに蓄積されたＡＶデータのうち、編集対象のＡＶデータが編集端末で指定されたことに基づき、前記編集端末と接続されておりスパース機能を有する記録装置を制御して、該指定されたＡＶデータのデータ量と等しい量のスパース領域を有する空のファイルを作成させる第１のステップと、
前記ＡＶサーバーを制御して、前記指定されたＡＶデータを再生させて前記記録装置に送信させるとともに、前記記録装置に空き容量がなくなったことに応じて再生を一時停止させ、前記記録装置に再び空き領域が生じたことに応じて再生を再開させる第２のステップと、
前記記録装置を制御して、前記ＡＶサーバーから送信されたＡＶデータを前記ファイルに書き込ませるとともに、前記記録装置に空き容量がなくなったことに応じて書込みを一時停止させ、前記記録装置に再び空き領域が生じたことに応じて書込みを再開させる第３のステップと、
前記記録装置内の前記ファイルに書き込まれたＡＶデータのうち編集に必要な範囲が前記編集端末で決定されたことに基づき、前記記録装置を制御して、前記ファイルのうち前記範囲以外のＡＶデータを書き込んだ部分をスパース領域にさせる第４のステップと
を有することを特徴とするＡＶサーバーからのＡＶデータのコピー方法。
【請求項４】
請求項３に記載のＡＶサーバーからのＡＶデータのコピー方法において、
前記第２のステップでは、前記ファイルのうちのスパース領域の部分が前記編集端末でアクセスされたことに基づき、前記ＡＶサーバーを制御して、該アクセスされた部分に書き込むべきＡＶデータを優先して再生させ、
前記第３のステップで、前記ファイルのうちのスパース領域の部分が前記編集端末でアクセスされたことに基づき、前記記録装置を制御して、前記アクセスされた部分に優先してＡＶデータを書き込ませる
ことを特徴とするＡＶサーバーからのＡＶデータのコピー方法。
【発明の詳細な説明】
【０００１】
【発明の属する技術分野】
本発明は、ＡＶサーバーに蓄積された素材を編集端末で編集するためのシステム等に関する。
【０００２】
【従来の技術】
今日、放送局では、素材であるＡＶ（Audio and/or Video）データを、大容量のＡＶサーバーに蓄積することが一般的になっている。
【０００３】
ＡＶサーバーは、一般に、複数台のハードディスクドライブを用いて構成したＲＡＩＤ（Redundant Arrays of Inexpensive Disks ）を有するとともに、ＳＤＩ（Serial Digital Interface）ポートのような入出力ポートを複数有している。
【０００４】
外部（放送局内のＶＴＲや、放送局と広域ネットワークで結ばれた取材現場のビデオカメラ等）からＡＶサーバーに送られたＡＶデータは、それぞれいずれかの入出力ポートに入力されて、その入出力ポートで圧縮処理等を施される。そして、その入出力ポートからＲＡＩＤに送られて、ＲＡＩＤに記録される。
【０００５】
また、ＲＡＩＤから読み出されていずれかの入出力ポートに送られたＡＶデータは、その入出力ポートで伸長処理等を施される。そして、その入出力ポートから出力されて、ＡＶサーバーから外部（オンエア用サーバーやバックアップ用サーバー等）に送られる。
【０００６】
ところで、放送局では、ＡＶサーバーに蓄積されたＡＶデータをオンエア時にそのまま送出するのではなく、そのＡＶデータを編集端末（ノンリニア編集機）で編集し、その編集結果（いわゆる「完パケ」）を送出するのが通常である。
【０００７】
従来、ＡＶサーバーに蓄積されたＡＶデータに編集端末がアクセスする方法としては、例えば、ＡＶサーバーの入出力ポートと編集端末とを１対１に対応させて接続し、その接続した入出力ポートを介して編集端末が直接ＡＶサーバーからＡＶデータを読み出すという方法を採っていた（例えば、特許文献１参照。）。
【０００８】
【特許文献１】
特開平８−２２１９５１号公報（段落番号０００３〜０００６、図３）
【０００９】
【発明が解決しようとする課題】
しかし、この方法には、ＡＶサーバー内のＲＡＩＤではＡＶデータが複数台のハードディスクドライブに分散されて記録される関係上、跳び跳びのフレームのＡＶデータを読み出すような場合に、アクセス時間が長くなってしまうという不都合があった。
【００１０】
編集作業は映像をフレーム単位で跳ばして見ながら行うことが多いので、編集端末では跳び跳びのフレームのＡＶデータを読み出す場合が多い。そうした場合にアクセス時間が長くなることは、たいへん不便である。
【００１１】
これに対し、ＡＶサーバーに蓄積されたＡＶデータのうち編集対象のＡＶデータ（例えば或る取材現場のビデオカメラから広域ネットワークで放送局に送られてＡＶサーバーに蓄積されたＡＶデータ）を編集端末の内蔵ハードディスクにファイルとしてコピーし、編集端末がその内蔵ハードディスクからＡＶデータを読み出して編集を行うようにすれば、アクセス時間を短縮することができる。
【００１２】
しかし、編集端末では、多数の種類のＡＶデータ（例えば多数の取材現場から送られてＡＶサーバーに蓄積されたＡＶデータ）を順次に編集することが多い。内蔵ハードディスクにＡＶデータをコピーする場合でも、内蔵ハードディスクの容量が小さいことによりこれらの多数種類のうちの一部の種類のＡＶデータしか一度にファイルとしてコピーできなければ、コピー作業を何度も繰り返さなければならないので、多数種類のＡＶデータを効率的に編集することができなくなる。したがって、効率的に編集を行えるようにするためには、内蔵ハードディスクの容量をかなり大きくしなければならない。
【００１３】
また、内蔵ハードディスクの容量を大きくしても、既にその容量分だけの種類のＡＶデータをファイルとしてコピーしてしまうと、編集端末でファイル自体を消去する操作を行うことによって内蔵ハードディスクに空き容量を生じさせない限り、新たな種類のＡＶデータをファイルとしてコピーすることができない。そのため、新たな種類のＡＶデータのコピーが開始可能になるまでに手間や時間がかかるので、やはり多数種類のＡＶデータを効率的に編集することができなくなる。
【００１４】
本発明は、上述の点に鑑み、ＡＶサーバーに蓄積された多数種類の編集対象のＡＶデータを、少ない容量の記録装置にコピーして効率的に編集できるようにすることを課題としてなされたものである。
【００１５】
【課題を解決するための手段】
この課題を解決するために、本出願人は、編集端末と、この編集端末に接続されておりスパース機能を有する記録装置と、ＡＶサーバーに蓄積されたＡＶデータのうち編集対象のＡＶデータがこの編集端末で指定されたことに基づき、この記録装置を制御して、その指定されたＡＶデータのデータ量と等しい量のスパース領域を有する空のファイルを作成させる第１の制御手段と、このＡＶサーバーを制御して、その指定されたＡＶデータを再生させてこの記録装置に送信させるとともに、この記録装置に空き容量がなくなったことに応じて再生を一時停止させ、この記録装置に再び空き領域が生じたことに応じて再生を再開させる第２の制御手段と、この記録装置を制御して、ＡＶサーバーから送信されたＡＶデータをそのファイルに書き込ませるとともに、この記録装置に空き容量がなくなったことに応じて書込みを一時停止させ、この記録装置に再び空き領域が生じたことに応じて書込みを再開させる第３の制御手段と、この記録装置内のそのファイルに書き込まれたＡＶデータのうち編集に必要な範囲がこの編集端末で決定されたことに基づき、この記録装置を制御して、そのファイルのうちその範囲以外のＡＶデータを書き込んだ部分をスパース領域にさせる第４の制御手段とを備えた編集システムを提案する。
【００１６】
この編集システムでは、スパース（sparse）機能を有する記録装置が、編集端末に接続されている。スパース機能はＮＴＦＳ５ファイルシステム等で使用可能な機能であり、この機能によって作成したスパースファイルは、ファイル全体のうち実際に使用しているブロック（実データが存在している部分）の容量のみを消費する。
【００１７】
そして、この編集システムでは、編集対象のＡＶデータが多数種類存在する場合に、編集端末でそれらの多数種類のＡＶデータがそれぞれ指定されると、それらの多数種類のＡＶデータについて、そのＡＶデータのデータ量と等しい量のスパース領域を有する空のファイルがそれぞれ第１の制御手段によってこの記録装置に作成される。（この時点では、それらのファイルの論理サイズの総和はそれらの多数種類のＡＶデータのデータ量の総和と等しくなるが、それらのファイルの物理サイズの総和はゼロなので、それらのファイルを全てこの記録装置内に存在させることができる。）
【００１８】
そして、第２の制御手段及び第３の制御手段により、それらの各種類のＡＶデータが、それぞれＡＶサーバーで再生されてこの記録装置に送信され、この記録装置内の対応するファイルに書き込まれる。
【００１９】
いずれかの種類のＡＶデータがファイルに書き込まれている途中で、ファイルの物理サイズの総和（ファイルに書き込まれたＡＶデータのデータ量の総和）がこの記録装置の容量に達したことにより記録装置に空き容量がなくなると、第２の制御手段及び第３の制御手段により、そのＡＶデータの再生・書込みが一時停止される。しかし、他のファイルに書き込まれたＡＶデータがこの記録装置から編集端末に読み出され、そのＡＶデータのうち編集に必要な範囲が編集端末で決定されると、第４の制御手段により、記録装置内のそのファイルのうちその範囲以外のＡＶデータ（編集に必要ないＡＶデータ）を書き込んだ部分がスパース領域にされることにより、そのスパース領域にされた部分のＡＶデータのデータ量だけファイルの物理サイズの総和が減少するので、記録装置に再び空き容量が生じる。したがって、第２の制御手段及び第３の制御手段により、一時停止されていたＡＶデータの再生・書込みが再開される。
【００２０】
このように、この編集システムによれば、ＡＶサーバーに蓄積されたＡＶデータのうち編集端末で指定された各種類のＡＶデータがそれぞれスパースファイルとしてコピーされるので、ＡＶサーバーに蓄積されたＡＶデータのうち編集対象の多数種類のＡＶデータを、少ない容量の記録装置にコピーすることができる。
【００２１】
また、このコピーの途中で記録装置に空き容量がなくなっても、スパースファイルのうち編集に必要ないＡＶデータを書き込んだ部分がスパース領域にされることにより、記録装置の空き容量が自動的且つ速やかに増加してコピーが再開される。
【００２２】
これにより、ＡＶサーバーに蓄積された多数種類の編集対象のＡＶデータを、少ない容量の記録装置にコピーして効率的に編集することができる。
【００２３】
なお、この編集システムにおいて、一例として、第２の制御手段は、記録装置内のファイルのうちのスパース領域の部分が編集端末でアクセスされたことに基づき、ＡＶサーバーを制御して、そのアクセスされた部分に書き込むべきＡＶデータを優先して再生させ、第３の制御手段は、記録装置内のファイルのうちのスパース領域の部分が編集端末でアクセスされたことに基づき、記録装置を制御して、そのアクセスされた部分に優先してＡＶデータを書き込ませるようにすることが好適である。
【００２４】
それにより、編集端末のオペレータが、編集対象のＡＶデータ（例えば或る取材現場のビデオカメラから広域ネットワークで放送局に送られてＡＶサーバーに蓄積されたＡＶデータ）のうちの特定の部分のＡＶデータが編集に必要であることが予めわかっている場合に、記録装置内のファイルのスパース領域のうちそのＡＶデータが書き込まれる部分をアクセスする操作を行うと、編集対象のＡＶデータのうちその必要な部分のＡＶデータが優先して記録装置にコピーされる。
【００２５】
したがって、編集に必要な部分を速やかに記録装置にコピーして記録装置から編集端末に読み出すことができるので、一層効率的に編集を行うことができるようになる。
【００２６】
次に、本出願人は、ＡＶサーバーに蓄積されたＡＶデータのうち、編集対象のＡＶデータが編集端末で指定されたことに基づき、この編集端末と接続されておりスパース機能を有する記録装置を制御して、その指定されたＡＶデータのデータ量と等しい量のスパース領域を有する空のファイルを作成させる第１のステップと、ＡＶサーバーを制御して、その指定されたＡＶデータを再生させてこの記録装置に送信させるとともに、この記録装置に空き容量がなくなったことに応じて再生を一時停止させ、この記録装置に再び空き領域が生じたことに応じて再生を再開させる第２のステップと、この記録装置を制御して、ＡＶサーバーから送信されたＡＶデータをそのファイルに書き込ませるとともに、この記録装置に空き容量がなくなったことに応じて書込みを一時停止させ、この記録装置に再び空き領域が生じたことに応じて書込みを再開させる第３のステップと、この記録装置内のそのファイルに書き込まれたＡＶデータのうち編集に必要な範囲がこの編集端末で決定されたことに基づき、この記録装置を制御して、そのファイルのうちその範囲以外のＡＶデータを書き込んだ部分をスパース領域にさせる第４のステップとを有するＡＶサーバーからのＡＶデータのコピー方法を提案する。
【００２７】
ＡＶサーバーに蓄積されたＡＶデータを記録装置にコピーしその記録装置から読み出して編集する際に、このコピー方法を採用すれば、前述の本発明に係る編集システムについて説明したのと全く同様にして、ＡＶサーバーに蓄積された多数種類の編集対象のＡＶデータを、少ない容量の記録装置にコピーして効率的に編集することができるようになる。
【００２８】
【発明の実施の形態】
以下、本発明を図面を用いて具体的に説明する。図１は、本発明を適用した編集システムの全体構成例を示す。この編集システムは、例えば放送局のニュース制作システムの一部を成すものであり、ＡＶサーバー３に蓄積されたＡＶデータをコピーするためのソリッドステートディスク（ＳＳＤ）２と、ＳＳＤ２からＡＶデータを読み出して編集するための編集端末１とを含んでいる。
【００２９】
編集端末１は、ワークステーションのようなコンピュータで構成されている。編集端末１には、ＡＶデータを編集するための通常のアプリケーションソフトウェア（エディタ）がインストールされている。編集端末１には、このエディタにより、次の（１）〜（３）の操作画面を含む編集用の操作画面が表示される。
【００３０】
（１）ＡＶサーバー３にファイルとして蓄積されているＡＶデータのリストを一覧表示させ、そのリストの中から編集対象のＡＶデータを指定するための操作画面。
【００３１】
（２）タイムライン上で、編集対象のＡＶデータを所望のフレームから参照するためにそのフレームにアクセスしたり、編集対象のＡＶデータのうち編集に必要な範囲をＩＮ点及びＯＵＴ点によって決定したり、決定した各範囲を時系列に貼り付けたりすることによって編集を行うための操作画面。
【００３２】
（３）編集結果（ＥＤＬ）をＡＶサーバー３に登録するための操作画面。
【００３３】
さらに、編集端末１には、後出の図３〜図５に示すような素材管理ソフトウェアもインストールされている。
【００３４】
ＳＳＤ２は、記録媒体として６４ギガバイトの容量のソリッドステートメモリ（SDRAM ）を搭載するとともに、ＮＴＦＳ５ファイルシステム（Windows ＸＰやWindows 2000（「Windows 」は登録商標）にサポートされているファイルシステム）に相当するファイルシステムを搭載したストレージシステムである。また、ＳＳＤ２は、ファイバーチャンネルのポートを有している。
【００３５】
ＮＴＦＳ５ファイルシステムではスパース（sparse）機能を使用可能であり、ＳＳＤ２に搭載したファイルシステムもこのスパース機能を使用可能なものである。この機能によって作成したスパースファイルは、ファイル全体のうち実際に使用しているブロック（実データが存在している部分）の容量のみを消費する。
【００３６】
図２は、ＡＶサーバー３の構成の概要を示す。ＡＶサーバー３は、Ｉ／Ｏ（入出力）ポートとして、ＳＤＩインタフェースである複数個のＩ／Ｏポート１１以外に、ファイバーチャンネルのネットワークインタフェースであるＩ／Ｏポート１２を有している。
【００３７】
ＡＶサーバー３内では、これらのＩ／Ｏポート１１及びＩ／Ｏポート１２や、ＲＡＩＤ１３や、ＡＶサーバー３全体を制御するコントローラ１４が、バス１５を介して接続されている。コントローラ１４には、ＲＡＩＤ１３に記録されているＡＶデータのファイルリストを作成・管理するファイル管理部１６が接続されている。また、コントローラ１４は、インターフェース１７を介してイーサネット（「イーサネット」は登録商標）に接続可能になっている。
【００３８】
ＡＶサーバー３には、外部（放送局内のＶＴＲや、放送局と広域ネットワークで結ばれた取材現場のビデオカメラ等）からＡＶデータが供給される。ＡＶサーバー１に供給されたＡＶデータは、いずれかのＩ／Ｏポート１１に入力されて、そのＩ／Ｏポート１１で圧縮処理等を施される。そして、そのＩ／Ｏポート１１からＲＡＩＤ１３に送られて、ＲＡＩＤ１３に記録される。
【００３９】
図１及び図２に示すように、編集端末１とＳＳＤ２はファイバーチャンネルで接続されており、ＳＳＤ２とＡＶサーバー３内のＩ／Ｏポート１２もファイバーチャンネルで接続されている。また、編集端末１とＡＶサーバー３内のコントローラ１４とは、イーサネット４で結ばれている。
【００４０】
編集端末１の前述の操作画面（１）には、エディタの処理として、編集端末１がイーサネット４経由でＡＶサーバー３のコントローラ１４と通信を行ってファイル管理部１６内の情報を取得することにより、リストが表示される。
【００４１】
また、編集端末１の前述の操作画面（２）のタイムライン上でいずれかのフレームがアクセスされると、エディタの処理として、そのフレーム以降のＡＶデータがＳＳＤ２から編集端末１に読み出される。
【００４２】
図３〜図５は、編集端末１にインストールされている素材管理ソフトウェアによる処理を示すフローチャートである。
【００４３】
このうち図３の処理は、編集端末１内のエディタによる前述の操作画面（１）で編集対象のＡＶデータが指定されたことや、編集端末１内のエディタによる前述の操作画面（２）での編集中にＡＶデータがアクセスされたことに基づき、ファイバーチャンネル経由でＳＳＤ２を制御する処理である。
【００４４】
この処理は、操作画面（１）で新たに編集対象のＡＶデータが指定される毎にスタートし、最初に、ＳＳＤ２に、空のファイルを作成させるとともに、指定された編集対象のＡＶデータのデータ量と等しい量のスパース領域をそのファイルに作成させる（ステップＳ１）。
【００４５】
続いて、ＳＳＤ２に現在空き容量が存在するか否かを判断する（ステップＳ２）。ノーであればステップＳ２を繰り返し、イエスになると、ＡＶサーバー３から送信されるその指定された編集対象のＡＶデータを、ＳＳＤ２内のこのファイルに先頭から書き込ませる（ステップＳ３）。
【００４６】
続いて、ＳＳＤ２に空き容量がなくなったか否かの判断（ステップＳ４）と、操作画面（２）のタイムライン上でＳＳＤ２内のこのファイルのスパース領域に該当するフレーム（ＡＶデータをまだＳＳＤ２に書き込んでいないフレーム）がアクセスされたか否かの判断（ステップＳ５）と、ＳＳＤ２内のこのファイルの末尾までＡＶデータの書込みを完了したか否かの判断（ステップＳ６）とを、いずれかのステップでイエスになるまで繰り返す。
【００４７】
ステップＳ４でイエスになると、ＳＳＤ２内のこのファイルへのＡＶデータの書込みを一時停止させる（ステップＳ７）。そして、ＳＳＤ２に再び空き容量が生じたか否かの判断（ステップＳ８）をイエスになるまで繰り返し、イエスになると、ＳＳＤ２内のこのファイルへのＡＶデータの書込みを再開させて（ステップＳ９）、ステップＳ４に戻る。
【００４８】
ステップＳ５でイエスになると、ＳＳＤ２内のこのファイルへのＡＶデータの書込み位置を、操作画面（２）でアクセスされたフレームに該当するスパース領域の部分に変更させる（ステップＳ１０）。そしてステップＳ４に戻る。また、ステップＳ６でイエスになると、処理を終了する。
【００４９】
図４の処理は、操作画面（１）で編集対象のＡＶデータが指定されたことや、操作画面（２）での編集中にＡＶデータがアクセスされたことに基づき、イーサネット４経由でＡＶサーバー３を制御する（ＡＶサーバー３のコントローラ１４に制御信号を送る）処理である。
【００５０】
この処理は、図３の処理と同じく、操作画面（１）で新たに編集対象のＡＶデータが指定される毎にスタートし、最初に、ＳＳＤ２に現在空き容量が存在するか否かを判断する（ステップＳ１１）。ノーであればステップＳ１１を繰り返し、イエスになると、ＡＶサーバー３に、その指定された編集対象のＡＶデータをＲＡＩＤ１３から再生させてＩ／Ｏポート１２からＳＳＤ２に送信させる（ステップＳ１２）。
【００５１】
続いて、ＳＳＤ２に空き容量がなくなったか否かの判断（ステップＳ１３）と、操作画面（２）のタイムライン上でまだＡＶサーバー３からＡＶデータを再生していないフレーム（すなわち、図３の処理によりその編集対象のＡＶデータを書き込んでいるＳＳＤ２内のファイルのスパース領域に該当するフレーム）がアクセスされたか否かの判断（ステップＳ１４）と、その編集対象のＡＶデータの末尾まで再生を完了したか否かの判断（ステップＳ１５）とを、いずれかのステップでイエスになるまで繰り返す。
【００５２】
ステップＳ１３でイエスになると、ＡＶサーバー３でのＡＶデータの再生を一時停止させる（ステップＳ１６）。そして、ＳＳＤ２に再び空き容量が生じたか否かの判断（ステップＳ１７）をイエスになるまで繰り返し、イエスになると、ＡＶサーバー３でのＡＶデータの再生を再開させて（ステップＳ１８）、ステップＳ１３に戻る。
【００５３】
ステップＳ１４でイエスになると、ＡＶサーバー３に、操作画面（２）でアクセスされたフレーム以降のＡＶデータを再生させる（ステップＳ１９）。そしてステップＳ１３に戻る。また、ステップＳ１５でイエスになると、処理を終了する。
【００５４】
図５の処理は、操作画面（２）での編集中に編集対象のＡＶデータのうち編集に必要な範囲がＩＮ点及びＯＵＴ点によって決定されたことや、編集が終了したことにより編集端末１内のエディタによる前述の操作画面（３）で編集結果をＡＶサーバー３に登録する操作が行われたことに基づき、ファイバーチャンネル経由でＳＳＤ２を制御したりイーサネット４経由でＡＶサーバー３を制御する処理である。
【００５５】
この処理では、既に操作画面（１）で指定された１または複数種類の編集対象のＡＶデータのうちのいずれかのＡＶデータについて、操作画面（２）のタイムライン上で編集に必要な範囲がＩＮ点及びＯＵＴ点によって決定されたか否かの判断（ステップＳ２１）と、操作画面（３）で編集結果をＡＶサーバー３に登録する操作が行われたか否かの判断（ステップＳ２２）とを、いずれかのステップでイエスになるまで繰り返す。
【００５６】
ステップＳ２１でイエスになると、ＳＳＤ２を制御して、そのＡＶデータを書き込んだファイルのうち、そのＩＮ点からＯＵＴ点までの範囲以外のＡＶデータ（編集に必要ないＡＶデータ）を書き込んだ部分をスパース領域にさせる（ステップＳ２３）。そしてステップＳ２１に戻る。
【００５７】
ステップＳ２２でイエスになると、その編集結果を、ＡＶサーバー３に送信してコントローラ１４に記憶させる（ステップＳ２４）。そして、ＳＳＤ２を制御して、そのＡＶデータを書き込んだファイルを消去させる（ステップＳ２５）。そしてステップＳ２１に戻る。
【００５８】
次に、この編集システムにおいて、ＡＶサーバー３に蓄積されたＡＶデータを編集端末１で編集する様子について説明する。
【００５９】
編集端末１を操作するオペレータは、ＡＶサーバー３に蓄積された多数の種類のＡＶデータ（例えば多数の取材現場から送られてＡＶサーバーに蓄積されたＡＶデータ）を順次編集しようとする場合、まず、前述の操作画面（１）で、表示されるＡＶデータのリストの一覧の中から、それらの多数の種類のＡＶデータを全て編集対象のＡＶデータとして指定する。
【００６０】
すると、編集端末１内の素材管理ソフトウェアの図３の処理のステップＳ１により、それらの多数種類のＡＶデータについて、そのＡＶデータのデータ量と等しい量のスパース領域を有する空のファイルがそれぞれＳＳＤ２に作成される。
【００６１】
図６は、一例として、１０種類のＡＶデータ１０１〜１１０が編集対象として指定されたことにより、各ＡＶデータ１０１〜１１０についてそれぞれファイル１０１〜１１０がＳＳＤ２に作成された状態を示している。
【００６２】
この時点では、ファイル１０１〜１１０の論理サイズの総和はＡＶデータ１０１〜１１０のデータ量の総和と等しくなる（例えば各ＡＶデータ１０１〜１１０のデータ量がそれぞれ２０ギガバイトであれば論理サイズの総和は２００ギガバイトになる）が、ファイル１０１〜１１０の物理サイズの総和はゼロなので、ファイル１０１〜１１０を全てＳＳＤ２内に存在させることができる。
【００６３】
続いて、操作画面（１）で指定されたそれらの多数の種類のＡＶデータが、素材管理ソフトウェアの図４の処理のステップＳ１１〜Ｓ１２及び図３の処理のステップＳ２〜Ｓ３により、順次ＡＶサーバー３で再生されてＳＳＤ２に送信され、ＳＳＤ２内の対応するファイルに書き込まれる。
【００６４】
図７は、図３の処理のステップＳ１によってＳＳＤ２に作成されたファイルのうちのいずれか１つのファイルに着目して、そのファイルの作成以降の状態変化の一例を示す図である。
【００６５】
同図において、状態Ａが、ファイルが作成された時点の状態（ファイル全体がスパース領域になっている状態）である。状態Ｂが、図４の処理のステップＳ１１〜Ｓ１２及び図３の処理のステップＳ２〜Ｓ３によってＡＶデータが書き込まれている状態である。
【００６６】
編集端末１のオペレータが、この状態Ｂになった時点以降、操作画面（２）のタイムライン上で、ＳＳＤ２内のこのファイルにＡＶデータを書込み済みのフレームにアクセスすると、そのフレーム以降のＡＶデータがＳＳＤ２から編集端末１に読み出される。したがって、オペレータは、そのフレームからＡＶデータを参照して、編集を開始することができる。
【００６７】
状態Ｃは、ＳＳＤ２内のこのファイルの末尾までＡＶデータの書込みが完了した（すなわち或る編集対象のＡＶデータが全てＡＶサーバー３からＳＳＤ２にコピーされた）状態を示す。編集端末１のオペレータは、この状態Ｃになると、編集対象のＡＶデータを最後のフレームまで参照することができる。
【００６８】
そして、オペレータが、操作画面（２）のタイムライン上で編集に必要な範囲をＩＮ点及びＯＵＴ点によって決定すると、素材管理ソフトウェアの図５の処理のステップＳ２１，Ｓ２３により、図７に状態Ｄとして示すように、ＳＳＤ２内のこのファイルのうち、決定されたＩＮ点からＯＵＴ点までの範囲以外のＡＶデータ（編集に必要ないＡＶデータ）を書き込んだ部分がスパース領域にされる。
【００６９】
これにより、ＳＳＤ２の空き容量が、このスパース領域分だけ自動的且つ速やかに増加する。
【００７０】
その後、オペレータが、操作画面（２）のタイムライン上で貼付けを行うことによって編集を終え、操作画面（３）で編集結果を登録する操作を行うと、素材管理ソフトウェアの図５の処理のステップＳ２２，Ｓ２４〜Ｓ２５により、編集結果がＡＶサーバー３に登録されるとともに、図７に状態Ｅとして示すように、ＳＳＤ２内のこのファイルが消去されるので、ＳＳＤ２の空き容量がさらに増加する。
【００７１】
状態Ｂにおいて、ＳＳＤ２内のこのファイルの物理サイズ（このファイルに書き込まれたＡＶデータのデータ量）と、ＳＳＤ２内の先にＡＶデータの書込みを完了したファイルの物理サイズ（それらのファイルに書き込まれたＡＶデータのデータ量）との総和がＳＳＤ２の容量に達すると、素材管理ソフトウェアの図４の処理のステップＳ１３，Ｓ１６及び図３の処理のステップＳ４，Ｓ７により、ＳＳＤ２内のこのファイルへのＡＶデータの書き込みが一時停止される。
【００７２】
しかし、この先に書込みを完了したファイルのＡＶデータについてオペレータが操作画面（２）のタイムライン上で編集に必要な範囲をＩＮ点及びＯＵＴ点によって決定すると、この先に書込みを完了したファイルのうち決定されたＩＮ点からＯＵＴ点までの範囲以外のＡＶデータを書き込んだ部分がスパース領域にされる（図５の処理のステップＳ２１，Ｓ２３）ことにより、ＳＳＤ２の空き容量がこのスパース領域分だけ自動的且つ速やかに増加する。
【００７３】
したがって、図４の処理のステップＳ１６，図３の処理のステップＳ７から速やかに図４の処理のステップＳ１７〜Ｓ１８，図３の処理のステップＳ８〜Ｓ９に進んで、ＳＳＤ２内のこのファイルへのＡＶデータの書き込みが再開される。
【００７４】
図８は、図３の処理のステップＳ１によってＳＳＤ２に作成されたファイルのうちのいずれか１つのファイルに着目して、そのファイルの作成以降の状態変化の別の一例を示す図である。
【００７５】
同図において、状態Ａ，Ｂ，Ｅ，Ｆは、それぞれ図７の例の状態Ａ，Ｂ，Ｄ，Ｅに相当する状態である。
【００７６】
図８の状態Ｂにおいて、、ＳＳＤ２内のファイルに先頭フレームからフレームＦ１までＡＶデータが書き込まれた後、編集端末１のオペレータが、フレームＦ１からフレームＦ２の手前のフレームまでの部分のＡＶデータは編集に不要なことがわかっているので、操作画面（２）のタイムライン上でフレームＦ２（ＳＳＤ２内のファイルにＡＶデータがまだ書き込まれていないフレーム）にアクセスすると、図４の処理のステップＳ１４及びＳ１９，図３の処理のステップＳ５及びＳ１０により、フレームＦ１からフレームＦ２の直前のフレームまでの部分を跳ばしてフレームＦ２以降のＡＶデータがＡＶサーバー３から再生され、ＳＳＤ２内のファイルへのＡＶデータの書込み位置がフレームＦ２に該当するスパース領域の部分に変更される。
【００７７】
図８の状態Ｃは、このようにＳＳＤ２内のファイルへのＡＶデータの書込み位置が変更された状態を示す。これにより、フレームＦ２以降のＡＶデータが優先してＳＳＤ２から編集端末１に読み出されるので、オペレータは、速やかにフレームＦ２以降のＡＶデータを参照して編集を行うことができる。
【００７８】
図８の状態Ｄは、このように書込み位置が変更された後、ＳＳＤ２内のこのファイルの末尾までＡＶデータの書込みが完了した状態を示す。
【００７９】
以上のように、この編集システムによれば、ＡＶサーバー３に蓄積されたＡＶデータのうち編集端末１で指定された各種類のＡＶデータがそれぞれスパースファイルとしてコピーされるので、ＡＶサーバー３に蓄積されたＡＶデータのうち編集対象の多数種類のＡＶデータを、少ない容量のＳＳＤ２にコピーすることができる。
【００８０】
また、このコピーの途中でＳＳＤ２に空き容量がなくなっても、スパースファイルのうち編集に必要ないＡＶデータを書き込んだ部分がスパース領域にされることにより、ＳＳＤ２の空き容量が自動的且つ速やかに増加してコピーが再開される。
【００８１】
これにより、ＡＶサーバー３に蓄積された多数種類の編集対象のＡＶデータを、少ない容量のＳＳＤ２にコピーして編集端末１で効率的に編集することができるようになっている。
【００８２】
さらに、この編集システムによれば、図８に状態Ｃとして例示したように、編集端末１のオペレータが、編集対象のＡＶデータ（例えば或る取材現場のビデオカメラから広域ネットワークで放送局に送られてＡＶサーバー３に蓄積されたＡＶデータ）のうちの特定の部分のＡＶデータが編集に必要であることが予めわかっている場合に、ＳＳＤ２内のファイルのスパース領域のうちそのＡＶデータが書き込まれる部分をアクセスする操作を行うと、編集対象のＡＶデータのうちその必要な部分のＡＶデータが優先してＳＳＤ２にコピーされる。
【００８３】
したがって、編集に必要な部分を速やかにＳＳＤ２にコピーしてＳＳＤ２から編集端末１に読み出すことができるので、一層効率的に編集を行うことができるようになっている。
【００８４】
なお、以上の例では、操作画面（２）でＳＳＤ２内のファイルにＡＶデータがまだ書き込まれていないフレームにアクセスすると、そのフレーム以降のＡＶデータが優先してＳＳＤ２内のファイルに末尾まで書き込まれるようにしている（図４の処理のステップＳ１４及びＳ１９，図３の処理のステップＳ５及びＳ１０，図８の状態Ｃ，Ｄ）。しかし、別の例として、操作画面（２）でＳＳＤ２内のファイルにＡＶデータがまだ書き込まれていない２つのフレーム（開始フレーム及び終了フレーム）にアクセスすることにより、その開始フレームから終了フレームまでのＡＶデータが優先してＳＳＤ２内のファイルに書き込まれるようにしてもよい。
【００８５】
また、以上の例では、編集端末１そのものに素材管理ソフトウェアをインストールしている。しかし、別の例として、編集端末１とは別のコンピュータに素材管理ソフトウェアをインストールし、編集端末１の操作画面（１）〜（３）の操作に基づいて編集端末１からそのコンピュータに図３〜図５の処理を要求するようにしてもよい。
【００８６】
それにより、ＡＶサーバー３からＳＳＤ２にＡＶデータをコピーするための処理は全てその別のコンピュータのほうで行われるので、編集端末１の負荷が軽減されるようになる。
【００８７】
また、以上の例では、ＡＶサーバーに蓄積されたＡＶデータを、ＳＳＤにコピーしている。しかし、これに限らず、ＳＳＤ以外の記録装置であってスパース機能を有する記録装置に、ＡＶサーバーに蓄積されたＡＶデータをコピーするようにしてもよい。
【００８８】
また、本発明によってＡＶデータをコピーする対象となるＡＶサーバーは、図２に示した構成のものに限らず、既存のあらゆるＡＶサーバーであってよい。例えばファイバーチャンネルのネットワークインタフェースを有しないＡＶサーバーに蓄積されたＡＶデータをＳＳＤ２にコピーする場合には、そのＡＶサーバーをＳＤＩ等でゲートウェイ端末と接続し、そのゲートウェイ端末とＳＳＤ２とをファイバーチャンネルで接続するようにすればよい。
【００８９】
また、本発明は、以上の例に限らず、本発明の要旨を逸脱することなく、その他様々の構成をとりうることはもちろんである。
【００９０】
【発明の効果】
以上のように、本発明によれば、ＡＶサーバーに蓄積されたＡＶデータのうち編集端末で指定された各種類のＡＶデータがそれぞれスパースファイルとしてコピーされるので、ＡＶサーバーに蓄積されたＡＶデータのうち編集対象の多数種類のＡＶデータを、少ない容量の記録装置にコピーすることができる。
【００９１】
また、このコピーの途中で記録装置に空き容量がなくなっても、スパースファイルのうち編集に必要ないＡＶデータを書き込んだ部分がスパース領域にされることにより、記録装置の空き容量が自動的且つ速やかに増加してコピーが再開される。
【００９２】
したがって、ＡＶサーバーに蓄積された多数種類の編集対象のＡＶデータを、少ない容量の記録装置にコピーして効率的に編集することができるという効果が得られる。
【００９３】
また本発明によれば、編集端末のオペレータが、編集対象のＡＶデータのうちの特定の部分のＡＶデータが編集に必要であることが予めわかっている場合に、記録装置内のファイルのスパース領域のうちそのＡＶデータが書き込まれる部分をアクセスする操作を行うと、編集対象のＡＶデータのうちその必要な部分のＡＶデータが優先して記録装置にコピーされる。
【００９４】
したがって、編集に必要な部分を速やかに記録装置にコピーして記録装置から編集端末に読み出すことができるので、一層効率的に編集を行うことができるという効果も得られる。
【図面の簡単な説明】
【図１】本発明を適用した編集システムを示す図である。
【図２】図１のＡＶサーバーの構成を示す図である。
【図３】図１の編集端末内の素材管理ソフトウェアによる処理を示すフローチャートである。
【図４】図１の編集端末内の素材管理ソフトウェアによる処理を示すフローチャートである。
【図５】図１の編集端末内の素材管理ソフトウェアによる処理を示すフローチャートである。
【図６】図１のＳＳＤに作成されるファイルを例示する図である。
【図７】図１のＳＳＤに作成されたファイルの状態変化の例を示す図である。
【図８】図１のＳＳＤに作成されたファイルの状態変化の別の例を示す図である。
【符号の説明】
１  編集端末、  ２  ソリッドステートディスク、  ３  ＡＶサーバー、  ４イーサネット、  １１，１２  Ｉ／Ｏポート、  １３  ＲＡＩＤ、  １４  コントローラ、  １５  バス、  １６  ファイル管理部、  １７  インタフェース
【図１】
0003714323.tif 000002
【図２】
0003714323.tif 000003
【図３】
0003714323.tif 000004
【図４】
0003714323.tif 000005
【図５】
0003714323.tif 000006
【図６】
0003714323.tif 000007
【図７】
0003714323.tif 000008
【図８】
0003714323.tif 000009